(57)【要約】【課題】  リンクの両端の装置におけるフレームの制御フィールドの送信順序番号の整合を図る。【解決手段】  第１及び第２の装置２、３間におけるデータの送受信を制御する通信制御装置１であって、第１及び第２の装置間でのフレームの送受信を中継する終端制御部１１１と、(i)第１の装置に対してフレームの受信の停止を通知し、(ii)第２の装置から受信したフレームの制御フィールドの送信順序番号の値に応じて、第１の装置における次に受信するフレームの制御フィールドの送信順序番号を変更した後に、(iii)第１の装置に対してフレーム受信の再開を通知するプロトコル制御部１１２とを備える。【選択図】図２
2012195913.tif 000002
【特許請求の範囲】
【請求項１】
第１及び第２の装置間におけるデータの送受信を制御する通信制御装置であって、
前記第１及び第２の装置間でのフレームの送受信を中継する終端制御部と、
(i)前記第１の装置に対してフレームの受信の停止を通知し、(ii)前記第２の装置から受信したフレームの制御フィールドの送信順序番号の値に応じて、前記第１の装置における次に受信するフレームの制御フィールドの送信順序番号を変更した後に、(iii)前記第１の装置に対してフレーム受信の再開を通知するプロトコル制御部と
を備えることを特徴とする通信制御装置。
【請求項２】
前記プロトコル制御部は、前記第１の装置に対して、前記第２の装置から受信したフレームの制御フィールドの送信順序番号の値に応じて次に受信するフレームの制御フィールドの送信順序番号を変更するコマンドを送信することを特徴とする請求項１に記載の通信制御装置。
【請求項３】
前記プロトコル制御部は、前記第１の装置に対して、次に受信するフレームの制御フィールドの送信順序番号が前記第２の装置から受信したフレームの制御フィールドの送信順序番号の値に応じた値となるようにダミーフレームを所定の回数送信することを特徴とする請求項１又は２に記載の通信制御装置。
【請求項４】
前記終端制御部は、相互に移行可能な、前記第１及び第２の装置の一方から入力されるフレームに格納されるデータを終端すると共に、前記第１及び第２の装置の他方に対してフレームとして出力する第１の態様と、前記第１及び第２の装置の一方から入力されるフレームを終端せずに前記第１及び第２の装置の他方に対して出力する第２の態様とのいずれかで前記装置間でのフレームの送受信を中継し、
前記プロトコル制御部は、前記第１の態様から前記第２の態様に移行する前に、(i)前記第１の装置に対してフレームの受信の停止を通知し、(ii)前記第２の装置から受信したフレームの制御フィールドの送信順序番号の値に応じて、前記第１の装置における次に受信するフレームの制御フィールドの送信順序番号を変更した後に、(iii)前記第１の装置に対してフレーム受信の再開を通知することを特徴とする請求項１から３のいずれか一項に記載の通信制御装置。
【請求項５】
前記第１及び第２の装置は、互いにＨＤＬＣのデータレートが異なり、
前記終端制御部は、前記第１の態様から前記第２の態様に移行する前に、前記第２の装置における前記データレートを前記第１の装置の前記データレートに合わせて調整し、
前記プロトコル制御部は、前記第１の態様から前記第２の態様に移行する前に、(i)前記第１の装置に対してフレームの受信の停止を通知し、(ii)前記第２の装置から受信したフレームの制御フィールドの送信順序番号の値に応じて、前記第１の装置における次に受信するフレームの制御フィールドの送信順序番号を変更した後に、(iii)前記第１の装置に対してフレーム受信の再開を通知することを特徴とする請求項４に記載の通信制御装置。
【請求項６】
第１及び第２の装置間におけるデータの送受信を制御する通信制御方法であって、
前記第１及び第２の装置間でのフレームの送受信を中継する終端制御工程と、
(i)前記第１の装置に対してフレームの受信の停止を通知し、(ii)前記第２の装置から受信したフレームの制御フィールドの送信順序番号の値に応じて、前記第１の装置における次に受信するフレームの制御フィールドの送信順序番号を変更した後に、(iii)前記第１の装置に対してフレーム受信の再開を通知するプロトコル制御工程と
を備えることを特徴とする通信制御方法。
【請求項７】
第１及び第２の装置と、該第１及び第２の装置間におけるデータの送受信を制御する通信制御装置とを備える無線基地局であって、
前記通信制御装置は、
前記第１及び第２の装置間でのフレームの送受信を中継する終端制御部と、
(i)前記第１の装置に対してフレームの受信の停止を通知し、(ii)前記第２の装置から受信したフレームの制御フィールドの送信順序番号の値に応じて、前記第１の装置における次に受信するフレームの制御フィールドの送信順序番号を変更した後に、(iii)前記第１の装置に対してフレーム受信の再開を通知するプロトコル制御部と
を備えることを特徴とする無線基地局。
【発明の詳細な説明】
【技術分野】
【０００１】
本発明は、ＣＰＲＩリンク（Common Public Radio Interface）における通信を制御する通信制御装置及び方法、並びに該ＣＰＲＩリンクを内部の通信に採用する無線基地局の技術分野に関する。
【背景技術】
【０００２】
無線通信ネットワークを構成する無線基地局では、ＲＥＣ（無線制御部：Radio Equipment Controller）とＲＥ（無線部：Radio Equipment）とが物理的に離隔して設置される一方で、ＲＥＣとＲＥとの間を有線接続する形態が知られている。ＲＥＣとＲＥとを接続する構成として、例えば、ＣＰＲＩリンクが知られている。
【０００３】
このような無線基地局の中には、デジタル信号やアナログ無線の送受信機能を有する複数のＲＥを有する無線基地局がある。他方で、３Ｇ（3rd Generation）システムやＬＴＥ(Long Term Evolution)システム等、種々の無線通信方式に応じた複数のＲＥＣを有する無線基地局も存在する。
【０００４】
このような無線基地局では、ＲＥＣとＲＥとの間のＣＰＲＩリンクの接続のために、複数のＣＰＲＩリンクを多重して１つのＣＰＲＩリンクに接続する、又は、１つのＣＰＲＩリンクを複数のＣＰＲＩリンクに分割するＣＰＲＩリンク装置が用いられる。ＣＰＲＩリンク装置では、ＣＰＲＩリンクの管理のために、一例として、ＬＡＰＢ(Link Access Procedure, Balanced：平衡型リンクアクセス手順)等の通信プロトコルを用いるＨＤＬＣ(High-Level Data Link Control) を使用している。
【０００５】
例えば、３ＧシステムのＲＥＣと、ＬＴＥシステムのＲＥＣとを有する無線基地局では、これら２つのＲＥＣを１台のＲＥに接続する際に、ＣＰＲＩリンク装置内でＬＡＰＢプロトコルをＣＰＲＩリンク毎に終端して通信を行っている。
【０００６】
ところで、ＲＥＣ及びＲＥ間をＬＡＰＢを用いるＣＰＲＩリンク装置で接続している無線基地局において、ＣＰＲＩリンク装置内でＨＤＬＣ及びＬＡＰＢを終端せず、ＨＤＬＣを直結することで伝送速度の向上を図ることが出来る。これは、ＣＰＲＩリンク装置内でＬＡＰＢを一度終端した上で、再度パケット形成を行う等の手順を省略することが可能となり、遅延を抑制することが出来るためである。
【０００７】
例えば、上述したような２つのＲＥＣを１台のＲＥに接続する無線基地局において、いずれかのＲＥＣの機能を停止する際に、ＣＰＲＩリンク装置によるフロー制御又は再送制御等の管理が不要となり、使用する１台のＲＥＣとＲＥとの間でＨＤＬＣを直結することで伝送速度の向上を図ることが出来る。
【０００８】
このようにＣＰＲＩリンクにおけるＬＡＰＢの態様を変更する際には、従来、ＣＰＲＩリンクを一時的に停止する手法が採られていた。
【０００９】
ＬＡＰＢでは、ＣＰＲＩリンクの両端のＲＥＣ又はＲＥにおいて、送受信フレームに夫々シーケンス番号を付して、送受信のフロー制御又は再送制御等が行われる。このため、ＣＰＲＩリンクを一時的に停止し、ＣＰＲＩリンクを再開する際に、シーケンス番号のリセットを行うことで、両端の装置間でシーケンス番号の整合を図る手法が従来採られていた。以下に示す先行技術文献には、送信側と受信側でのシーケンス番号の整合を調整する技術等が説明されている。
【先行技術文献】
【特許文献】
【００１０】
【特許文献１】特開平７−１４３１７４号公報
【特許文献２】特開昭６０−１１４０４９号公報
【発明の概要】
【発明が解決しようとする課題】
【００１１】
しかしながら、ＣＰＲＩリンクのＨＤＬＣ及びＬＡＰＢを終端せず、ＨＤＬＣを直結するよう変更する際に、一時的にＣＰＲＩリンクを停止することで、伝送の一時的な遅延や送信される情報フレームの欠落が生じるという技術的な問題が解決されていない。
【００１２】
本発明は、上述した技術的な問題点に鑑みてなされたものであり、ＨＤＬＣを用いるＣＰＲＩリンクにおいて、ＨＤＬＣを終端せず直結するよう変更する際に、通信の停止を回避し、データの欠落等が生じることを好適に防止可能な通信制御装置及び通信制御方法並びに無線基地局を提供することを課題とする。
【課題を解決するための手段】
【００１３】
上記課題を解決するために、開示の通信制御装置は、第１及び第２の装置間におけるデータの送受信を制御する通信制御装置であって、終端制御部とプロトコル制御部とを備える。終端制御部は、第１及び第２の装置間でのフレームの送受信を中継する。プロトコル制御部は、(i)第１の装置に対してフレームの受信の停止を通知し、(ii)第２の装置から受信したフレームの制御フィールドの送信順序番号の値に応じて、第１の装置における次に受信するフレームの制御フィールドの送信順序番号を変更した後に、(iii)第１の装置に対してフレーム受信の再開を通知する。
【発明の効果】
【００１４】
開示の通信制御装置によれば、ＣＰＲＩリンクを停止することなく、ＣＰＲＩリンク両端の装置において送受信フレームのフロー制御のためのシーケンス番号を好適に整合することが出来る。
【図面の簡単な説明】
【００１５】
【図１】無線基地局の構成例を示すブロック図である。
【図２】ＣＰＲＩリンク装置の構成例を示すブロック図である。
【図３】ＨＤＬＣ直結の態様を示す概念図である。
【図４】無線基地局の変形例を示すブロック図である。
【図５】ＣＰＲＩリンク装置の変形例を示すブロック図である。
【図６】第１動作例におけるＨＤＬＣ直結手順の流れを示すフローチャートである。
【図７】第１動作例におけるフレーム送信の流れを示すシーケンス図である。
【図８】変形動作例におけるＨＤＬＣ直結手順の流れを示すフローチャートである。
【図９】変形動作例におけるフレーム送信の流れを示すシーケンス図である。
【図１０】実施例におけるＨＤＬＣ直結手順の流れを示すフローチャートである。
【図１１】実施例におけるＨＤＬＣ直結手順の流れを示すフローチャートである。
【図１２】実施例におけるＨＤＬＣ直結手順の流れを示すフローチャートである。
【図１３】実施例におけるＨＤＬＣ直結手順の流れを示すフローチャートである。
【図１４】実施例におけるフレーム送信の流れを示すシーケンス図である。
【発明を実施するための形態】
【００１６】
以下に、発明を実施するための実施形態について説明する。
【００１７】
（１）構成例
図を参照して、開示の通信制御装置の実施形態の構成例について説明する。図１は、開示の通信制御装置の一実施形態であるＣＰＲＩリンク装置１を備える無線基地局１０の構成について示すブロック図である。図１に示されるように、無線基地局１０は、無線制御部（ＲＥＣ）２と、無線部（ＲＥ）３とを備える。ＲＥＣ２とＲＥ３との間は、ＣＰＲＩリンク装置１を用いて接続されている。ＲＥＣ２とＲＥ３との間は、ＣＰＲＩリンク装置１を介してＣＰＲＩリンク＃１により接続されている。
【００１８】
図２を参照して、ＣＰＲＩリンク装置１の構成例について説明する。図２は、ＣＰＲＩリンク装置１の構成例を示すブロック図である。
【００１９】
図２に示されるように、ＣＰＲＩリンク装置１は、ＨＤＬＣ終端部１１０と、ＩＱデータ制御部１２０と、ＲＥＣ２側のＣＰＲＩ終端部１３０と、ＲＥ３側のＣＰＲＩ終端部１４０とを備える。ＣＰＲＩリンク装置１に搭載されるＨＤＬＣ終端部１１０、ＩＱデータ制御部１２０、ＣＰＲＩ終端部１３０、ＣＰＲＩ終端部１４０が有する機能は、ＦＰＧＡ（Field-Programmable Gate Array）によって実現される。
【００２０】
ＨＤＬＣ終端部１１０は、終端制御部１１１と、ＬＡＰＢ制御部１１２とを備える。終端制御部１１１は、ＣＰＲＩリンク装置１においてＲＥＣ２とＲＥ３との間のＣＰＲＩリンク＃１のＨＤＬＣを終端する場合に、ＨＤＬＣの情報フレームをＣＰＲＩリンク毎に終端して通信する。ＬＡＰＢ制御部１１２は、ＲＥＣ２及びＲＥ３に対して、情報フレームのシーケンス番号の整合を指示するＬＡＰＢコマンドであるシーケンス番号整合コマンドを送信する。
【００２１】
ＨＤＬＣで伝送されるＬＡＰＢの情報フレームは、シーケンス番号を格納する制御フィールドを有する。シーケンス番号は、フロー制御や再送制御を行うために装置間で送受信される情報フレームの順序を識別するための連続した番号である。ＣＰＲＩリンク毎の個別のＬＡＰＢプロトコルでは、シーケンス番号として、送信シーケンス番号ＮＳと受信シーケンス番号ＮＲとを設定する。
【００２２】
送信シーケンス番号ＮＳは、ＣＰＲＩリンクの両端の装置間で、送信される情報フレームの順序を示す番号である。受信シーケンス番号ＮＲは、ＣＰＲＩリンクの両端の装置間で、次に受信すると期待される情報フレームの送信シーケンス番号ＮＳを示す。尚、受信シーケンス番号ＮＲは、適切に情報フレームを受信する度に、１ずつインクリメントされ、基本的には、受信した情報フレームの送信シーケンス番号ＮＳの最大値＋１が受信シーケンス番号ＮＲとなる。
【００２３】
ＲＥＣ２及びＲＥ３では、送信した情報フレームについて設定した送信シーケンス番号ＮＳ及び受信シーケンス番号ＮＲ、並びに受信した情報フレームに設定される送信シーケンス番号ＮＳ及び受信シーケンス番号ＮＲを適宜保持する。
【００２４】
シーケンス番号整合コマンドは、送信先の装置におけるＬＡＰＢの情報フレームの送受信シーケンス番号を指定値に変更する（言い換えれば、再設定する）コマンドである。
【００２５】
ＩＱデータ制御部１２０は、ＣＰＲＩリンク＃１におけるＲＥＣ２とＲＥ３との間のベースバンド信号をＩＱデータとして送受信制御する。
【００２６】
ＲＥＣ２側のＣＰＲＩ終端部１３０は、ＣＰＲＩリンク＃１におけるＲＥＣ２側のインタフェースであって、ＨＤＬＣ制御部１３１と、ＩＱデータ終端部１３２とを備える。ＨＤＬＣ制御部１３１は、受信したＨＤＬＣフレームを終端するか、直結するかの選択を行うセレクタである。ＨＤＬＣ制御部１３１は、ＣＰＲＩ終端部１３１及びＲＥ３側のＣＰＲＩ終端部１４０が備えるＨＤＬＣ制御部１４１と接続され、ＨＤＬＣの終端又は直結の態様に合わせて送受信先を選択する。
【００２７】
図３を参照して、ＨＤＬＣの終端及び直結について説明する。
【００２８】
図３（ａ）は、ＣＰＲＩリンク装置１がＲＥＣ２及びＲＥ３の間のＣＰＲＩリンク＃１においてＨＤＬＣの終端をしている際の通信の態様を占めす概念図である。ＣＰＲＩリンク装置１の終端制御部１１１は、ＲＥＣ２又はＲＥ３から送信される情報フレームを終端処理し、フロー制御や再送制御等を行う。
【００２９】
図３（ｂ）は、ＣＰＲＩリンク装置１がＲＥＣ２及びＲＥ３の間のＣＰＲＩリンク＃１においてＨＤＬＣ及びＬＡＰＢプロトコルを終端せず、ＣＰＲＩリンク＃１が直結している際の通信の態様を占めす概念図である。尚、「直結」とは、ＲＥＣ２及びＲＥ３の間で送受信されるＨＤＬＣの電気信号をＣＰＲＩリンク装置１内のＨＤＬＣ終端部１１０において終端（言い換えれば、中継）せず、ＲＥＣ２及びＲＥ３間で直接通信する態様を示す。
【００３０】
図３（ｃ）は、ＣＰＲＩリンク＃１において、ＲＥＣ２とＲＥ３との間でＨＤＬＣレートが異なる場合の通信の態様を占めす概念図である。ＨＤＬＣの通信レートが異なるため、ＣＰＲＩリンク装置１が一方から送信される情報フレームを終端処理し、他方のＨＤＬＣレートに合わせてフレームを中継する。このため、ＲＥＣ２とＲＥ３との間でＨＤＬＣレートが異なる場合には、ＨＤＬＣを直結する際には、一方のＨＤＬＣレートを他方のＨＤＬＣレートに調整する。
【００３１】
図２に戻って説明を続ける。ＩＱデータ終端部１３２は、ＩＱデータ制御部１２０を介して入力されるＩＱデータを終端する。
【００３２】
ＲＥ３側のＣＰＲＩ終端部１４０は、ＣＰＲＩリンク＃１におけるＲＥ３側のインタフェースであって、ＲＥＣ２側のＣＰＲＩ終端部１３０と同様の機能を有するＨＤＬＣ制御部１４１と、ＩＱデータ終端部１４２とを備える。
【００３３】
無線基地局１０の変形例である無線基地局１０’の構成について、図４及び図５を参照して説明する。図４に示されるように、無線基地局１０’は、２つのＲＥＣ２ａ及び２ｂを有し、ＲＥＣ２ａ及び２ｂと、ＲＥ３との間を、ＣＰＲＩリンク装置１’を用いて接続している。ＲＥＣ２ａとＲＥ３との間を接続するＣＰＲＩリンクをＣＰＲＩリンク＃１、ＲＥＣ２ｂとＲＥ３との間を接続するＣＰＲＩリンクをＣＰＲＩリンク＃２と夫々定義して区別する。
【００３４】
図５は、ＣＰＲＩリンク装置１’の構成を示すブロック図である。尚、図２に示したものと同等の構成については同一の番号を付しており、特記しない点については、図２に示されるものと同様の構成であってよい。
【００３５】
図５に示されるように、ＣＰＲＩリンク装置１’は、ＨＤＬＣ終端部１１０’と、ＩＱデータ制御部１２０と、ＲＥＣ２ａ側のＣＰＲＩ終端部１３０ａと、ＲＥＣ２ｂ側のＣＰＲＩ終端部１３０ｂと、ＲＥ３側のＣＰＲＩ終端部１４０とを備える。
【００３６】
ＨＤＬＣ制御部１１０’は、終端制御部１１１と、ＬＡＰＢ制御部１１２と、スイッチ１１３とを備え、ＣＰＲＩリンク＃１及び＃２を終端処理する。また、ＨＤＬＣ制御部１１０’は、ＲＥＣ２ａ及び２ｂと、ＲＥ３との間で信号の多重化処理を行うＭＵＸ（Multiplexer）及びＤＥＭＵＸ（Demultiplexer）としての機能を有する。スイッチ１１３は、ＣＰＲＩリンク＃１においてＲＥＣ２ａとＲＥ３との間でＨＤＬＣを直結する接続線、及びＣＰＲＩリンク＃２においてＲＥＣ２ｂとＲＥ３との間でＨＤＬＣを直結する接続線とを接続するスイッチである。
【００３７】
ＩＱデータ処理部１２０は、上述した処理に加えて、ＲＥＣ２ａ及び２ｂと、ＲＥ３との間でベースバンド信号の多重化処理を行うＭＵＸ及びＤＥＭＵＸとしての機能を有する。
【００３８】
ＣＰＲＩ終端部１３０ａ及び１３０ｂは、夫々ＲＥＣ２ａ及びＲＥＣ２ｂ側のＣＰＲＩリンクの終端処理を行う。
【００３９】
このように、複数のＲＥＣ２ａ及び２ｂを備え、ＲＥＣ２ａ及び２ｂが１台のＲＥ３に接続される無線基地局１０’では、ＣＰＲＩリンク＃１又は＃２のＨＤＬＣを直結する際には、直結しない方のＲＥＣ２ａ又は２ｂについて動作を停止することになる。スイッチ１１３は、ＲＥ３と直結するＲＥＣ２ａ又は２ｂについてのＣＰＲＩリンクのＨＤＬＣを直結するよう接続を切り替える。
【００４０】
（２）第１動作例
図６及び図７を参照して、無線基地局１０のＣＰＲＩリンク装置１による、ＲＥＣ２とＲＥ３との間のＨＤＬＣを直結する第１動作例の流れについて説明する。図６は、ＣＰＲＩリンク装置１によるＲＥＣ２とＲＥ３との間のＨＤＬＣ直結手順の流れを示すフローチャートである。図７は、該ＨＤＬＣ直結手順における装置間のフレーム送信の流れを示すシーケンス図である。尚、図６及び図７に示す第１動作例においては、ＲＥＣ２側のＨＤＬＣレートと、ＲＥ３側のＨＤＬＣレートとは、略同一であって、直結時にレート変更の必要はないものとする。
【００４１】
図７に示されるように、ＣＰＲＩリンク装置１は、ＲＥＣ２側の処理と、ＲＥ３側の処理とを並行して実施する。
【００４２】
ＬＡＰＢ制御部１１２は、ＲＥＣ２とＲＥ３との間のＬＡＰＢ通信プロトコルを逐次終端する形式から、ＨＤＬＣを直結する形式に変更する際に、ＲＥＣ２に対して情報フレームの再送処理を要求中であるか否かを判定する（ステップＳ１０１）。同様に、ＲＥ３に対しても、情報フレームの再送処理を要求中であるか否かを判定する（ステップＳ２０１）。
【００４３】
次に、ＬＡＰＢ制御部１１２は、ＲＥＣ２に対して、ＬＡＰＢのＲＮＲ(Receiver Not Ready)コマンド（Ｆｉｎａｌ＝１）を送信して、情報フレームの送信を一時停止する（ステップＳ１０２）。同様に、ＲＥ３に対してもＬＡＰＢのＲＮＲコマンド（Ｆｉｎａｌ＝１）を送信する（ステップＳ２０２）。ＲＮＲコマンドは、情報フレームの受信に対する応答であって、該情報フレームが適切に受信されたことを示す一方で、次の情報フレームを受信することが出来ない旨を通知するコマンドである。尚、Ｆｉｎａｌ＝１であるため、該ＲＮＲコマンドに対する応答を要求しない。
【００４４】
尚、ＬＡＰＢ制御部１１２は、ＲＮＲコマンドの送信の際の、コマンドフレームの送信シーケンス番号ＮＳを受信側における受信シーケンス番号ＮＲとし、受信シーケンス番号ＮＲを受信側における送信シーケンス番号ＮＳとする。
【００４５】
図７に示される例では、ＲＥＣ２は、最後に送信した情報フレームの送信シーケンス番号ＮＳ＝Ａ、受信シーケンス番号ＮＲ＝Ｂであり、最後に受信した情報フレームの送信シーケンス番号ＮＳ＝Ｂ、受信シーケンス番号ＮＲ＝Ａである。同様に、ＲＥ３は、最後に送信した情報フレームの送信シーケンス番号ＮＳ＝Ｃ、受信シーケンス番号ＮＲ＝Ｄであり、最後に受信した情報フレームの送信シーケンス番号ＮＳ＝Ｄ、受信シーケンス番号ＮＲ＝Ｃである。
【００４６】
以降、ＬＡＰＢ制御部１１２は、ＲＥＣ２及びＲＥ３から送信されるＬＡＰＢコマンドについては、ＨＤＬＣの直結処理が完了するまで破棄するよう、終端制御部１１１におけるＬＡＰＢプロトコルを制御する。
【００４７】
次に、ＬＡＰＢ制御部１１２は、ＲＥＣ２に対する再送用情報フレームバッファがＥｍｐｔｙであるか否かを判定する（ステップＳ１０３）。同様に、ＲＥ３に対する再送用情報フレームバッファがＥｍｐｔｙであるか否かを判定する（ステップＳ２０３）。尚、このとき、各装置に対して再送処理が不要である場合、ＬＡＰＢ制御部１１２は、対応する再送用情報フレームバッファをクリアしてもよい。
【００４８】
ＲＥＣ２の再送用情報フレームバッファが空である場合（ステップＳ１０３：Ｙｅｓ）、ＬＡＰＢ制御部１１２は、ＲＥＣ２の受信シーケンス番号ＮＲを、ＲＥ３側の送信シーケンス番号ＮＳに応じて調整するシーケンス番号整合コマンドを送信する（ステップＳ１０４）。このとき、ＲＥ３側の送信シーケンス番号ＮＳ＝Ｃである場合、ＬＡＰＢ制御部１１２は、ＲＥＣ２側の受信シーケンス番号ＮＲを「Ｃ」に設定するシーケンス番号整合コマンドを送信する。
【００４９】
同様に、ＲＥ３の再送用情報フレームバッファが空である場合（ステップＳ２０３：Ｙｅｓ）、ＬＡＰＢ制御部１１２は、ＲＥ３の受信シーケンス番号ＮＲを、ＲＥＣ２側の送信シーケンス番号ＮＳに応じて調整するシーケンス番号整合コマンドを送信する（ステップＳ２０４）。このとき、ＲＥＣ２側の送信シーケンス番号ＮＳ＝Ａである場合、ＬＡＰＢ制御部１１２は、ＲＥ３側の受信シーケンス番号ＮＲを「Ａ」に設定するシーケンス番号整合コマンドを送信する。
【００５０】
続いて、ＬＡＰＢ制御部１１２は、ＲＥＣ２に対して、ＲＲ(Receiver Ready)コマンド（Ｆｉｎａｌ＝１）を送信して、情報フレームの送信停止を解除する（ステップＳ１０６）。同時に、ＬＡＰＢ制御部１１２は、ＲＥ３に対して、ＲＲコマンド（Ｆｉｎａｌ＝１）を送信して、情報フレームの送信停止を解除する（ステップＳ２０６）。
【００５１】
ＲＥＣ２及びＲＥ３に対してＲＲコマンドを送信した直後に、ＬＡＰＢ制御部１１２は、ＲＥＣ２との間のＨＤＬＣと、ＲＥ３との間のＨＤＬＣとを直結する（ステップＳ１０７）。
【００５２】
以上、説明したように、第１動作例では、ＣＰＲＩリンクにおける情報フレームの送信をＲＮＲコマンドによって一時的に遅延させているものの、ＣＰＲＩリンクを切断することなく、ＨＤＬＣを直結することが出来る。このため、ＲＥＣ２とＲＥ３との間で、携帯電話の通話等のリアルタイムのデータの送受信が行われている場合において、データの送受信を停止することなくＨＤＬＣの直結が可能となる。このため、従来問題とされてきた、情報フレームの欠落が生じることも好適に防止出来る。
【００５３】
尚、上述した第１動作例には、ＨＤＬＣを直結する場合以外にも、何らかの要因によってＲＥＣ２側とＲＥ３側とで送信シーケンス番号ＮＳ及び受信シーケンス番号ＮＲが整合しなくなった場合に、データ検索を行わずに両者のシーケンス番号を整合出来るという利点がある。このため、例えば、デバッグ等を行う際の作業量又は処理量を好適に低減することが出来る。
【００５４】
（３）第２動作例
ＣＰＲＩリンク装置１による、ＲＥＣ２とＲＥ３との間のＨＤＬＣを直結する第２動作例について説明する。第２動作例では、ＣＰＲＩリンク装置１及びＲＥＣ２の間と、ＣＰＲＩリンク装置１及びＲＥ３の間では、ＨＤＬＣレートが異なっている場合の処理について説明する。
【００５５】
ＣＰＲＩリンク装置１及びＲＥＣ２の間と、ＣＰＲＩリンク装置１及びＲＥ３の間でＨＤＬＣレートが異なる場合、ＣＰＲＩリンク装置１の終端制御部１１１は、一方の装置からのＬＡＰＢを終端した上で、他方のＨＤＬＣレートに一致させた上でフレームの送信を行っている。
【００５６】
しかしながら、このような中継処理を行うよりも、一方のＨＤＬＣレートを他方に合わせて変更した後に、ＨＤＬＣを直結することでＬＡＰＢの伝送遅延を軽減出来、実効的な通信速度の向上に繋がる場合もある。
【００５７】
従来、ＨＤＬＣレートが異なるＨＤＬＣを直結する際には、一度ＣＰＲＩリンクを停止した上で、ＣＰＲＩリンクの両端の装置のうち少なくとも一方のＨＤＬＣレートを他方に合わせて変更した上で、ＨＤＬＣを直結する処理が行われている。
【００５８】
第２動作例では、ＣＰＲＩリンク装置１は、ＲＥＣ２及びＲＥ３のうち、ＨＤＬＣレートを他方に合わせて調整する装置を選択する。そして、ＬＡＰＢ制御部１１２は、第１動作例で示した処理の内、ＲＥＣ２及びＲＥ３に対する、ＲＮＲコマンドの送信（図６、ステップＳ１０２又はステップＳ２０２）、シーケンス番号整合コマンドの送信（図６、ステップＳ１０４又はステップＳ２０４）、及びＲＲコマンドの送信（図６、ステップＳ１０６又はステップＳ２０６）については、選択された装置に対しては実行しない。言い換えれば、ＬＡＰＢ制御部１１２は、ＨＤＬＣレートを変更しない装置に対して、ＲＮＲコマンド、シーケンス番号整合コマンド及びＲＲコマンドを送信する。
【００５９】
このとき、ＬＡＰＢ制御部１１２は、ＨＤＬＣレートを変更しない装置に対してＲＮＲコマンドを送信した後には、該装置から送信されるＬＡＰＢコマンドについては、ＨＤＬＣの直結処理が完了するまで破棄するよう、終端制御部１１１におけるＬＡＰＢプロトコルを制御する。
【００６０】
また、終端制御部１１１は、ＲＮＲコマンド、シーケンス番号整合コマンド及びＲＲコマンドを送信する間に、ＨＤＬＣレートを変更する装置について、ＣＰＲＩリンクにおけるＨＤＬＣレートの変更を指示する。このとき終端制御部１１１は、ＨＤＬＣレートを変更する装置について、ＣＰＲＩリンクを停止させた上で、ＨＤＬＣレートの変更を行う。その後、ＬＡＰＢ制御部１１２は、ＨＤＬＣレートを変更する装置について、ＨＤＬＣのシーケンス番号を所定の値（例えば、送信シーケンス番号ＮＳ＝０、受信シーケンス番号ＮＲ＝０）に設定する。
【００６１】
ＬＡＰＢ制御部１１２は、設定後のＨＤＬＣレートを変更する装置における送受信シーケンス番号ＮＳ及びＮＲを参照して、ＨＤＬＣレートを変更しない装置に対して送信するシーケンス番号整合コマンドを生成する。例えば、ＨＤＬＣレートを変更する装置について、送信シーケンス番号ＮＳ＝０として設定した場合、ＬＡＰＢ制御部１１２は、ＨＤＬＣレートを変更しない装置に対して受信シーケンス番号ＮＲ＝０とするシーケンス番号整合コマンドを送信する。
【００６２】
ＣＰＲＩリンク装置１の第２動作例によれば、ＨＤＬＣレートを変更しない装置におけるＣＰＲＩリンクを停止することなく、ＨＤＬＣレートが異なる装置間のＨＤＬＣを直結することが可能となる。このため、ＣＰＲＩリンクの一時的な停止によりデータの欠落が生じる機会を好適に抑制することが出来る。
【００６３】
（４）変形動作例
図８及び図９を参照して、ＣＰＲＩリンク装置１の変形動作例について説明する。図８は、ＣＰＲＩリンク装置１の変形動作例におけるＨＤＬＣを直結する際の動作の流れを示すフローチャートである。図９は、変形動作例におけるＨＤＬＣを直結する際の装置間の信号送信に係るシーケンス図である。尚、図８及び図９では、夫々図６又は図７と同様の構成については、同一の番号を付している。このような構成については、特に記載のない限りは、夫々図６又は図７と同様の構成であってよいものとする
図８に示されるように、ＬＡＰＢ制御部１１２は、ＨＤＬＣを直結する作業時に、再送処理中以外のタイミングにおいて（ステップＳ１０１、ステップＳ２０１：Ｙｅｓ）、ＲＮＲ（Ｆｉｎａｌ＝１）コマンドを送信する（ステップＳ１０２、ステップＳ２０２）。その後、ＲＥＣ２との間の再送用情報フレームバッファが空であるか否かを判定する（ステップＳ１０３、ステップＳ２０３）。
【００６４】
ＲＥＣ２及びＲＥ３の再送用情報フレームバッファが空である場合（ステップＳ１０３、ステップＳ２０３：Ｙｅｓ）、ＬＡＰＢ制御部１１２は、ＲＥＣ２及びＲＥ３の夫々における送受信シーケンス番号ＮＳ及びＮＲを確認し、確認した値に応じて、ダミーフレームを送信する（ステップＳ１１１、ステップＳ１１２）。
【００６５】
ここに、ダミーフレームとは、例えばデータ長０の情報フレームであって、好適には、送信先のＲＥＣ２又はＲＥ３において、受信シーケンス番号ＮＲのインクリメント以外の何らの処理も行わせない情報フレームである。従って、このようなダミーフレームを受信したＲＥＣ２又はＲＥ３においては、受信したダミーフレーム数に応じて受信シーケンス番号ＮＲがインクリメントされる。
【００６６】
ＬＡＰＢ制御部１１２は、ＲＥＣ２に対してダミーフレームを送信する際に、「ＲＥ３ａ側の送信シーケンス番号ＮＳ（図９ではＣ）」−「ＲＥＣ２が最後に受信した情報フレームの送信シーケンス番号ＮＳ（図９ではＢ）」の値を算出する。算出された値が、ＲＥＣ２に対して送信するダミーフレーム数「Ｃ−Ｂ」となる。言い換えれば、ＬＡＰＢ制御部１１２は、ＲＥＣ２が最後に受信する情報フレーム（つまり、ダミーフレーム）の受信シーケンス番号ＮＲ＝Ｃとなるまで、ダミーフレームの送信を繰り返す（ステップＳ１１１、ステップＳ１１２）。
【００６７】
同様に、ＬＡＰＢ制御部１１２は、ＲＥ３に対して、「ＲＥＣ２側の送信シーケンス番号ＮＳ（図９ではＡ）」−「ＲＥ３が最後に受信した情報フレームの送信シーケンス番号ＮＳ（図９ではＤ）」回、ダミーフレームを送信する。言い換えれば、ＬＡＰＢ制御部１１２は、ＲＥ３が最後に受信する情報フレームの受信シーケンス番号ＮＲ＝Ａとなるまで、ダミーフレームの送信を繰り返す（ステップＳ２１１、ステップＳ２１２）。
【００６８】
その後、ＬＡＰＢ制御部１１２は、ＲＥ３における受信シーケンス番号ＮＲがＡとなったか否かを判定し（ステップＳ１１３）、ＲＥ３における受信シーケンス番号ＮＲがＡであれば、ＲＥＣ２に対してＲＲコマンド（Ｆｉｎａｌ＝１）を送信する（ステップＳ１０６）。同様に、ＬＡＰＢ制御部１１２は、ＲＥＣ２における受信シーケンス番号ＮＲがＣとなったか否かを判定し（ステップＳ２１３）、ＲＥＣ２における受信シーケンス番号ＮＲがＣであれば、ＲＥ３に対してＲＲコマンド（Ｆｉｎａｌ＝１）を送信する（ステップＳ２０６）。尚、ＬＡＰＢ制御部１１２は、ステップＳ１１３及びステップＳ２１３の一方の条件が満たされた後、他方の条件が満たされるまで待機し、同時にステップＳ１０６及びステップＳ２０６の処理を実行する。
【００６９】
ＲＥＣ２及びＲＥ３に対してＲＲコマンドを送信した直後に、終端制御部１１１は、ＲＥＣ２との間のＨＤＬＣと、ＲＥ３との間のＨＤＬＣとを直結する（ステップＳ１０７）。
【００７０】
以上、説明した変形動作例によれば、第１動作例及び第２動作例において説明したシーケンス番号整合コマンドに対応していない（言い換えれば、コマンドに応じた命令を実行出来ない）装置に対しても、第１動作例と同様にシーケンス番号の整合を図ることが出来る。このため、ＲＥＣ２及びＲＥ３の少なくとも一方において、シーケンス番号整合コマンドに応じた命令を実行出来ない場合であっても、第１動作例と同様の効果を得ることが出来る。
【００７１】
尚、変形動作例は、第２動作例と同様に、ＨＤＬＣの直結に際して、いずれかの装置におけるＨＤＬＣレートを変更する場合にも適用可能である。このとき、ＬＡＰＢ制御部１１２は、ＲＲコマンド、ダミーフレーム及びＲＮＲコマンドを、ＨＤＬＣレートを変更しない装置に対して送信する一方で、ＨＤＬＣレートを変更する装置については、ＣＰＲＩリンクを停止させ、ＨＤＬＣレートの変更を行う。このとき、ＨＤＬＣレートを変更する装置では、送受信シーケンス番号ＮＳ及びＮＲの再設定が行われる。このため、ＬＡＰＢ制御部１１２は、ＨＤＬＣレートを変更しない装置に対しては、最後に受信した送信シーケンス番号ＮＳが再設定された後の送信シーケンス番号ＮＳとなるよう、所定の回数のダミーフレームを送信すればよい。
【００７２】
（５）実施例
上述した第１動作例及び第２動作例、並びに変形動作例を踏まえた、ＣＰＲＩリンク装置１の実施例における動作の流れについて、図を参照して説明する。図１０から図１３は、実施例におけるＨＤＬＣ直結手順の流れを示すフローチャートである。図１４は、実施例におけるフレーム送信の流れを示すシーケンス図である。
【００７３】
ＣＰＲＩリンク装置１は、実施例では、ＲＥＣ２及びＲＥ３の夫々について、シーケンス番号整合コマンドに対応しているか否か、及びダミーフレームを受信することで受信シーケンス番号ＮＲをインクリメント出来るか否かを判定し、好適な方法でシーケンス番号の整合を図る。
【００７４】
図１０に示されるように、ＬＡＰＢ制御部１１２は、ＲＥＣ２とＲＥ３との間のＬＡＰＢ通信プロトコルを逐次終端する形式から、ＨＤＬＣを直結する形式に変更する際に、ＲＥＣ２に対して情報フレームの再送処理を要求中であるか否かを判定する（ステップＳ３０１）。同様に、ＲＥ３に対しても、情報フレームの再送処理を要求中であるか否かを判定する（ステップＳ４０１）。
【００７５】
次に、ＬＡＰＢ制御部１１２は、ＲＥＣ２に対して、ＬＡＰＢのＲＮＲ(Receiver Not Ready)コマンド（Ｆｉｎａｌ＝１）を送信して、情報フレームの送信を一時停止する（ステップＳ３０２）。同様に、ＲＥ３に対してもＬＡＰＢのＲＮＲコマンド（Ｆｉｎａｌ＝１）を送信する（ステップＳ４０２）。
【００７６】
例えば、ＲＥＣ２は、最後に送信した情報フレームの送信シーケンス番号ＮＳ＝Ａ、受信シーケンス番号ＮＲ＝Ｂであり、最後に受信した情報フレームの送信シーケンス番号ＮＳ＝Ｂ、受信シーケンス番号ＮＲ＝Ａであるとする。同様に、ＲＥ３は、最後に送信した情報フレームの送信シーケンス番号ＮＳ＝Ｃ、受信シーケンス番号ＮＲ＝Ｄであり、最後に受信した情報フレームの送信シーケンス番号ＮＳ＝Ｄ、受信シーケンス番号ＮＲ＝Ｃであるとする。
【００７７】
以降、ＬＡＰＢ制御部１１２は、ＲＥＣ２及びＲＥ３から送信されるＬＡＰＢコマンドについては、ＨＤＬＣの直結処理が完了するまで破棄するよう、終端制御部１１１におけるＬＡＰＢプロトコルを制御する。
【００７８】
次に、ＬＡＰＢ制御部１１２は、ＲＥＣ２に対する再送用情報フレームバッファがＥｍｐｔｙであるか否かを判定する（ステップＳ３０３）。同様に、ＲＥ３に対する再送用情報フレームバッファがＥｍｐｔｙであるか否かを判定する（ステップＳ４０３）。尚、このとき、各装置に対して再送処理が不要である場合、ＬＡＰＢ制御部１１２は、対応する再送用情報フレームバッファをクリアしてもよい。
【００７９】
ＲＥＣ２の再送用情報フレームバッファが空である場合（ステップＳ３０３：Ｙｅｓ）、ＬＡＰＢ制御部１１２は、ＲＥＣ２の受信シーケンス番号ＮＲを、ＲＥ３側の送信シーケンス番号ＮＳに応じて調整するシーケンス番号整合コマンドを送信する（ステップＳ３０４）。このとき、ＲＥ３側の送信シーケンス番号ＮＳ＝Ｃである場合、ＬＡＰＢ制御部１１２は、ＲＥＣ２側の受信シーケンス番号ＮＲを「Ｃ」に設定するシーケンス番号整合コマンドを送信する。
【００８０】
同様に、ＲＥ３の再送用情報フレームバッファが空である場合（ステップＳ４０３：Ｙｅｓ）、ＬＡＰＢ制御部１１２は、ＲＥ３の受信シーケンス番号ＮＲを、ＲＥＣ２側の送信シーケンス番号ＮＳに応じて調整するシーケンス番号整合コマンドを送信する（ステップＳ４０４）。このとき、ＲＥＣ２側の送信シーケンス番号ＮＳ＝Ａである場合、ＬＡＰＢ制御部１１２は、ＲＥ３側の受信シーケンス番号ＮＲを「Ａ」に設定するシーケンス番号整合コマンドを送信する。
【００８１】
次に、ＬＡＰＢ制御部１１２は、ＲＥＣ２に対して、ＲＲコマンド（Ｐｏｌｌ＝１）を送信する（ステップＳ３０５）。同様に、ＬＡＰＢ制御部１１２は、ＲＥ３に対して、ＲＲコマンド（Ｐｏｌｌ＝１）を送信する（ステップＳ４０５）。
【００８２】
送信したＲＲコマンドには、Ｐｏｌｌ＝１が設定されているため、受信したＲＥＣ２及びＲＥ３は、ＲＲ又はＲＮＲを送信することで応答する。ＬＡＰＢ制御部１１２は、ＲＥＣ２及びＲＥ３の双方からの応答を受信したか否かを判定する（ステップＳ３０６、ステップＳ４０６）。
【００８３】
ＲＥＣ２及びＲＥ３の双方からの応答を受信したことを確認したＬＡＰＢ制御部１１２は、該応答において、ＲＥＣ２及びＲＥ３から送信される情報フレームの受信シーケンス番号ＮＲが、各装置に送信したシーケンス番号整合コマンドで指示したものと一致するか否かを判定する（ステップＳ３０７）。
【００８４】
具体的には、ＬＡＰＢ制御部１１２は、ＲＥＣ２から送信される情報フレームの受信シーケンス番号ＮＲ＝Ｃであるか否かを判定する。また、ＬＡＰＢ制御部１１２は、ＲＥ３から送信される情報フレームの受信シーケンス番号ＮＲ＝Ａであるか否かを判定する。
【００８５】
ＲＥＣ２及びＲＥ３の双方から送信される情報フレームの受信シーケンス番号ＮＲが、いずれも条件を満たす場合（ステップＳ３０７：Ｙｅｓ）、ＬＡＰＢ制御部１１２は、各装置においてシーケンス番号が整合していると判断し、ＨＤＬＣ直結処理（ステップＳ３０８）に移行する。
【００８６】
他方で、ＲＥＣ２又はＲＥ３において受信シーケンス番号ＮＲが条件を満たしていない場合、ＬＡＰＢ制御部１１２は、いずれかの装置がシーケンス番号整合コマンドに対応していないものと判断し、ダミーフレームの送信によりシーケンス番号の整合を図るダミーフレーム送信処理に移行する（ステップＳ３０９）。
【００８７】
図１１を参照して、ダミーフレーム送信処理について説明する。図１１に示されるように、ＬＡＰＢ制御部１１２は、ＲＥＣ２及びＲＥ３の夫々におけるＨＤＬＣの送受信シーケンス番号ＮＳ及びＮＲの確認を行う。その後、確認した送受信シーケンス番号ＮＳ及びＮＲに応じて、ダミーフレームを送信する（ステップＳ３１１、ステップＳ４１１）。
【００８８】
ＬＡＰＢ制御部１１２は、ＲＥＣ２に対して、ＲＥＣ２が最後に受信する情報フレームの送信シーケンス番号ＮＳ＝Ｃとなるまで、ダミーフレームの送信を繰り返す（ステップＳ３１１、ステップＳ３１２）。
【００８９】
同様に、ＬＡＰＢ制御部１１２は、ＲＥ３に対して、ＲＥ３が最後に受信する情報フレームの送信シーケンス番号ＮＳ＝Ａとなるまで、ダミーフレームの送信を繰り返す（ステップＳ４１１、ステップＳ４１２）。
【００９０】
次に、ＬＡＰＢ制御部１１２は、ＲＥＣ２に対して、ＲＲコマンド（Ｐｏｌｌ＝１）を送信する（ステップＳ３１３）。同様に、ＬＡＰＢ制御部１１２は、ＲＥ３に対して、ＲＲコマンド（Ｐｏｌｌ＝１）を送信する（ステップＳ４１３）。ＬＡＰＢ制御部１１２は、ＲＥＣ２及びＲＥ３の双方からの応答を受信した後（ステップＳ３１４：Ｙｅｓ、且つステップＳ４１４：Ｙｅｓ）、ＲＥＣ２及びＲＥ３から送信される情報フレームの受信シーケンス番号ＮＲが、所望の値であるか否かを判定する（ステップＳ３１５）。
【００９１】
ここに、所望の値とは、各装置に送信したダミーフレームによりインクリメントされた受信シーケンス番号ＮＲであって、ＲＥＣ２においては、ＲＥ３の送信シーケンス番号ＮＳであり、ＲＥ３においては、ＲＥＣ２の送信シーケンス番号ＮＳである。具体的には、ＬＡＰＢ制御部１１２は、ＲＥＣ２から送信される情報フレームの受信シーケンス番号ＮＲ＝Ｃであるか否かを判定する。また、ＬＡＰＢ制御部１１２は、ＲＥ３から送信される情報フレームの受信シーケンス番号ＮＲ＝Ａであるか否かを判定する。
【００９２】
ＲＥＣ２及びＲＥ３の双方から送信される情報フレームの受信シーケンス番号ＮＲが、いずれも条件を満たす場合（ステップＳ３１５：Ｙｅｓ）、ＬＡＰＢ制御部１１２は、各装置においてシーケンス番号が整合していると判断し、ＨＤＬＣ直結処理（ステップＳ３０８）に移行する。
【００９３】
他方で、ＲＥＣ２又はＲＥ３において受信シーケンス番号ＮＲが条件を満たしていない場合、ＬＡＰＢ制御部１１２は、いずれかの装置がダミーフレームの送信による受信シーケンス番号ＮＲのインクリメントに対応していないものと判断し、ＣＰＲＩリンクを停止した上でＨＤＬＣを直結するＣＰＲＩリンク停止処理に移行する（ステップＳ３１６）。
【００９４】
図１２を参照して、ＣＰＲＩリンク停止処理について説明する。ＣＰＲＩリンク停止処理では、従来実施されるＨＤＬＣの直結手順の一例である。終端制御部１１１は、図１１に示されるように、先ず、ＲＥＣ２及びＲＥ３と終端制御部１１１との間のＣＰＲＩリンクを一時的に停止する（ステップＳ３２１）。ＣＰＲＩリンクの停止期間中に終端制御部１１１は、ＲＥＣ２及びＲＥ３の間でＨＤＬＣを直結する（ステップＳ３２２）。ＨＤＬＣの直結が完了した後に、終端制御部１１１は、ＣＰＲＩリンクを再開する（ステップＳ３２３）。
【００９５】
図１３を参照して、ＨＤＬＣ直結処理について説明する。図１３に示されるように、ＨＤＬＣ直結処理では、ＬＡＰＢ制御部１１２は、ＲＥＣ２に対して、ＲＲ(Receiver Ready)コマンド（Ｆｉｎａｌ＝１）を送信して、情報フレームの送信停止を解除する（ステップＳ３３１）。同時に、ＬＡＰＢ制御部１１２は、ＲＥ３に対して、ＲＲコマンド（Ｆｉｎａｌ＝１）を送信して、情報フレームの送信停止を解除する（ステップＳ４３１）。
【００９６】
ＲＥＣ２及びＲＥ３に対してＲＲコマンドを送信した直後に、終端制御部１１１は、ＲＥＣ２との間のＨＤＬＣと、ＲＥ３との間のＨＤＬＣとを直結する（ステップＳ３３２）。
【００９７】
以上、説明した実施例によれば、ＲＥＣ２及びＲＥ３がシーケンス番号整合コマンドに対応しているか否か、ダミーフレーム送信処理による受信シーケンス番号ＮＲのインクリメントに対応しているか否か、を判断した上で好適な手法でシーケンス番号の整合を図ることが出来る。このため、第１動作例及び変形動作例と同様の各種効果を比較的簡単に実現可能となる。尚、上述した各動作例に加えて、第２動作例において説明した態様を採用してもよい。
【００９８】
本発明は、上述した実施例に限られるものではなく、請求の範囲及び明細書全体から読み取れる発明の要旨或いは思想に反しない範囲で適宜変更可能であり、そのような変更を伴う通信制御装置及び方法並びに無線基地局等もまた本発明の技術的範囲に含まれるものである。
【００９９】
以上、本明細書で説明した実施形態について、以下の付記を更に記載する。
（付記１）
第１及び第２の装置間におけるデータの送受信を制御する通信制御装置であって、
前記第１及び第２の装置間でのフレームの送受信を中継する終端制御部と、
(i)前記第１の装置に対してフレームの受信の停止を通知し、(ii)前記第２の装置から受信したフレームの制御フィールドの送信順序番号の値に応じて、前記第１の装置における次に受信するフレームの制御フィールドの送信順序番号を変更した後に、(iii)前記第１の装置に対してフレーム受信の再開を通知するプロトコル制御部と
を備えることを特徴とする通信制御装置。
（付記２）
前記プロトコル制御部は、前記第１の装置に対して、前記第２の装置から受信したフレームの制御フィールドの送信順序番号の値に応じて次に受信するフレームの制御フィールドの送信順序番号を変更するコマンドを送信することを特徴とする付記１に記載の通信制御装置。
（付記３）
前記プロトコル制御部は、前記第１の装置に対して、次に受信するフレームの制御フィールドの送信順序番号が前記第２の装置から受信したフレームの制御フィールドの送信順序番号の値に応じた値となるようにダミーフレームを所定の回数送信することを特徴とする付記１又は２に記載の通信制御装置。
（付記４）
前記ダミーフレームは、データ長０のフレームであることを特徴とする付記３に記載の通信制御装置。
（付記５）
前記終端制御部は、相互に移行可能な、前記第１及び第２の装置の一方から入力されるフレームに格納されるデータを終端すると共に、前記第１及び第２の装置の他方に対してフレームとして出力する第１の態様と、前記第１及び第２の装置の一方から入力されるフレームを終端せずに前記第１及び第２の装置の他方に対して出力する第２の態様とのいずれかで前記装置間でのフレームの送受信を中継し、
前記プロトコル制御部は、前記第１の態様から前記第２の態様に移行する前に、(i)前記第１の装置に対してフレームの受信の停止を通知し、(ii)前記第２の装置から受信したフレームの制御フィールドの送信順序番号の値に応じて、前記第１の装置における次に受信するフレームの制御フィールドの送信順序番号を変更した後に、(iii)前記第１の装置に対してフレーム受信の再開を通知することを特徴とする付記１から４のいずれか一項に記載の通信制御装置。
（付記６）
前記第１及び第２の装置は、互いにＨＤＬＣのデータレートが異なり、
前記終端制御部は、前記第１の態様から前記第２の態様に移行する前に、前記第２の装置における前記データレートを前記第１の装置の前記データレートに合わせて調整し、
前記プロトコル制御部は、前記第１の態様から前記第２の態様に移行する前に、(i)前記第１の装置に対してフレームの受信の停止を通知し、(ii)前記第２の装置から受信したフレームの制御フィールドの送信順序番号の値に応じて、前記第１の装置における次に受信するフレームの制御フィールドの送信順序番号を変更した後に、(iii)前記第１の装置に対してフレーム受信の再開を通知することを特徴とする付記５に記載の通信制御装置。
（付記７）
第１及び第２の装置間におけるデータの送受信を制御する通信制御方法であって、
前記第１及び第２の装置間でのフレームの送受信を中継する終端制御工程と、
(i)前記第１の装置に対してフレームの受信の停止を通知し、(ii)前記第２の装置から受信したフレームの制御フィールドの送信順序番号の値に応じて、前記第１の装置における次に受信するフレームの制御フィールドの送信順序番号を変更した後に、(iii)前記第１の装置に対してフレーム受信の再開を通知するプロトコル制御工程と
を備えることを特徴とする通信制御方法。
（付記８）
第１及び第２の装置と、該第１及び第２の装置間におけるデータの送受信を制御する通信制御装置とを備える無線基地局であって、
前記通信制御装置は、
前記第１及び第２の装置間でのフレームの送受信を中継する終端制御部と、
(i)前記第１の装置に対してフレームの受信の停止を通知し、(ii)前記第２の装置から受信したフレームの制御フィールドの送信順序番号の値に応じて、前記第１の装置における次に受信するフレームの制御フィールドの送信順序番号を変更した後に、(iii)前記第１の装置に対してフレーム受信の再開を通知するプロトコル制御部と
を備えることを特徴とする無線基地局。
【符号の説明】
【０１００】
１  ＣＰＲＩリンク装置１、
２  ＲＥＣ、
３  ＲＥ、
１０  無線基地局、
１１０  ＨＤＬＣ終端部、
１１１  終端制御部、
１１２  ＬＡＰＢ制御部、
１２０  ＩＱデータ終端部、
１３０  （ＲＥＣ側）ＣＰＲＩ終端部、
１４０  （ＲＥ側）ＣＰＲＩ終端部。
【図１】
2012195913.tif 000003
【図２】
2012195913.tif 000004
【図３】
2012195913.tif 000005
【図４】
2012195913.tif 000006
【図５】
2012195913.tif 000007
【図６】
2012195913.tif 000008
【図７】
2012195913.tif 000009
【図８】
2012195913.tif 000010
【図９】
2012195913.tif 000011
【図１０】
2012195913.tif 000012
【図１１】
2012195913.tif 000013
【図１２】
2012195913.tif 000014
【図１３】
2012195913.tif 000015
【図１４】
2012195913.tif 000016